(57)【要約】【目的】時間情報を持たない静止画像のようなコンテンツを、電子番組表の中で番組の情報と同時に表示する。【解決手段】選択可能な複数のチャンネルを示すチャンネル軸を一方の軸とすると共に、時間の経過を示す時間軸を他方の軸としてマトリックス表示された電子番組表９４の表示方法は、放送により配信される番組コンテンツの属性情報を、前記チャンネル軸ごと、および前記時間軸ごとに並べて表示する工程と、静止画像を示す画像コンテンツの属性の１つに応じた前記チャンネルを、前記チャンネル軸に割り当てる工程と、前記チャンネル軸の前記チャンネルが示す位置に、前記属性の１つが共通する前記画像コンテンツの情報を、前記時間軸の方向に並べて表示する工程とを備える。【選択図】図３
2007174267.tif 000002
【特許請求の範囲】
【請求項１】
選択可能な複数のチャンネルを示すチャンネル軸を一方の軸とすると共に、時間の経過を示す時間軸を他方の軸としてマトリックス表示された電子番組表の表示方法であって、
放送により配信される番組コンテンツの属性情報を、前記チャンネル軸ごと、および前記時間軸ごとに並べて表示する工程と、
静止画像を示す画像コンテンツの属性の１つに応じた前記チャンネルを、前記チャンネル軸に割り当てる工程と、
前記チャンネル軸の前記チャンネルが示す位置に、前記属性の１つが共通する前記画像コンテンツの情報を、前記時間軸の方向に並べて表示する工程とを備えることを特徴とする電子番組表の表示方法。
【請求項２】
請求項１に記載の電子番組表の表示方法において、
前記時間軸は、
日付と時刻とを示す情報を含むことを特徴とする電子番組表の表示方法。
【請求項３】
請求項１乃至２のいずれかに記載の電子番組表の表示方法において、
前記画像コンテンツの情報は、
前記画像コンテンツから作成されたサムネイル画像であることを特徴とする電子番組表の表示方法。
【請求項４】
請求項１乃至３のいずれか１項に記載の電子番組表の表示方法において、
前記画像コンテンツの中で、
視聴された前記画像コンテンツと未視聴な前記画像コンテンツとを判別可能に表示する工程を更に備えることを特徴とする電子番組表の表示方法。
【請求項５】
請求項１乃至４のいずれか１項に記載の電子番組表の表示方法において、
前記画像コンテンツの属性の１つに応じたチャンネルは、前記番組コンテンツが配信されないチャンネルに割り当てられることを特徴とする電子番組表の表示方法。
【請求項６】
請求項１乃至５のいずれか１項に記載の電子番組表の表示方法において、
一定の期間を経た未視聴な前記画像コンテンツは、表示されないことを特徴とする電子番組表の表示方法。
【請求項７】
選択可能な複数のチャンネルを示すチャンネル軸を一方の軸とすると共に、時間の経過を示す時間軸を他方の軸としてマトリックス表示された電子番組表の作成プログラムであって、
放送により配信される１つ以上の番組コンテンツの属性情報を取得する手順と、
前記取得された番組コンテンツの属性情報を、前記チャンネル軸ごと、および前記時間軸ごとにそれぞれ並べる手順と、
静止画像を示す画像コンテンツが１つ以上入力される手順と、
前記入力された画像コンテンツのサムネイル画像を、それぞれ取得する手順と、
前記画像コンテンツの属性に応じた前記チャンネルを、前記チャンネル軸に割り当てる手順と、
前記チャンネル軸の前記チャンネルが示す位置に、前記属性の１つが共通する前記画像コンテンツのサムネイル画像を、前記時間軸の方向にそれぞれ並べる手順とを、
コンピュータに実行させることを特徴とする電子番組表の作成プログラム。
【請求項８】
選択可能な複数のチャンネルを示すチャンネル軸を一方の軸とすると共に、時間の経過を示す時間軸を他方の軸としてマトリックス表示された電子番組表であって、
放送により配信される番組コンテンツの属性情報が、前記チャンネル軸ごと、および前記時間軸ごとに並べて表示される第１の領域と、
静止画像を示す画像コンテンツの属性の１つに応じた前記チャンネルが、前記チャンネル軸に割り当てられ、
前記チャンネル軸の前記チャンネルが示す位置に、前記属性の１つが共通する前記画像コンテンツの情報が、前記時間軸の方向に並べて表示される第２の領域とを有し、
前記第１の領域および前記第２の領域は、前記チャンネル軸方向に隣接して表示されることを特徴とする電子番組表。
【発明の詳細な説明】
【技術分野】
【０００１】
本発明は、ユーザが選択可能なコンテンツを表形式で電子的に表示する電子番組表の表示方法、電子番組表の作成プログラムおよび電子番組表に関する。
【背景技術】
【０００２】
従来、テレビ放送等により配信される番組の放送時刻や番組の内容を知る方法は、紙に印刷された番組表によるのが一般的であったが、近年、これに加えて番組情報を電子的に表示する電子番組表（ＥＰＧ：Ｅｌｅｃｔｒｏｎｉｃ  Ｐｒｏｇｒａｍ  Ｇｕｉｄｅ）が利用されている。このような電子番組表の情報は、一般的には、テレビ放送の送信電波を利用して所定の間隔で送信されると共に、この情報を受信したテレビ側は、テレビ放送の周波数を示すチャンネル軸と、時間の経過を示す時間軸とでマトリックス表示する電子番組表を作成して、テレビ画面に表示する。従って、このような電子番組表は、所定の時刻以降に視聴可能な放送番組を、視聴者に判り易く視覚的に表示できることに加え、放送される番組が急遽変更された場合でも、その変更内容は、即座に電子番組表に反映されるため、今後予想される多チャンネル化に向けて、更に多用されることが予想されている。
また、テレビ放送のように一方的に配信されるコンテンツに加えて、下記特許文献１に記載されているように、接続した外部機器から再生可能な番組のコンテンツを、電子番組表に同時に表示することにより、所定の時刻において所定の時間で視聴可能な種々のコンテンツを選択可能に表示する。
【０００３】
【特許文献１】特開２０００−２５３３２５号公報
【発明の開示】
【発明が解決しようとする課題】
【０００４】
しかしながら、電子番組表に追加して表示できるコンテンツは、動画のように再生に要する時間情報を持ち、電子番組表の時間軸の方向に、前記時間情報を示す幅を伴って表示可能なコンテンツに限られていた。従って、時間情報を持たない静止画像のようなコンテンツは、１つの電子番組表の中で番組の情報と共に表示できなかった。
【課題を解決するための手段】
【０００５】
上記した課題を解決するために、本発明の電子番組表の表示方法は、選択可能な複数のチャンネルを示すチャンネル軸を一方の軸とすると共に、時間の経過を示す時間軸を他方の軸としてマトリックス表示された電子番組表の表示方法であって、放送により配信される番組コンテンツの属性情報を、前記チャンネル軸ごと、および前記時間軸ごとに並べて表示する工程と、静止画像を示す画像コンテンツの属性の１つに応じた前記チャンネルを、前記チャンネル軸に割り当てる工程と、前記チャンネル軸の前記チャンネルが示す位置に、前記属性の１つが共通する前記画像コンテンツの情報を、前記時間軸の方向に並べて表示する工程とを備えることを特徴とする。
【０００６】
この発明によれば、チャンネル軸と時間軸とでマトリックス表示された電子番組表の中に、放送により配信される番組情報を表示することに加えて、静止画像を示す画像コンテンツの属性に応じたチャンネルをチャンネル軸に割り当て、割り当てたチャンネルがチャンネル軸で示す位置に、静止画像を示す画像コンテンツを並べて表示するため、配信される番組の情報と、静止画像を示す画像コンテンツの情報とを１つの電子番組表で表示できる。
【０００７】
本発明では、前記時間軸は、日付と時刻とを示す情報を含んでも良い。
【０００８】
本発明では、前記画像コンテンツの情報は、前記画像コンテンツから作成されたサムネイル画像であることが好ましい。
【０００９】
この発明によれば、画像コンテンツから作成されたサムネイル画像が、電子番組表の中に表示されるため、画像コンテンツの内容を容易に把握できる。
【００１０】
本発明は、前記画像コンテンツの中で、視聴された前記画像コンテンツと未視聴な前記画像コンテンツとを判別可能に表示する工程を更に備えることが好ましい。
【００１１】
この発明によれば、電子番組表に表示された画像コンテンツの中で、視聴された画像コンテンツと、未視聴な画像コンテンツとを容易に判別できる。
【００１２】
本発明では、前記画像コンテンツの属性の１つに応じたチャンネルは、前記番組コンテンツが配信されないチャンネルに割り当てられても良い。
【００１３】
また、本発明では、一定の期間を経た未視聴な前記画像コンテンツは、表示されないことが好ましい。
【００１４】
この発明によれば、未視聴の画像コンテンツが増加した場合に、電子番組表にサムネイル画像が際限なく表示されることを防止できる。
【００１５】
上記した課題を解決するために、本発明の電子番組表の表示プログラムは、選択可能な複数のチャンネルを示すチャンネル軸を一方の軸とすると共に、時間の経過を示す時間軸を他方の軸としてマトリックス表示された電子番組表の表示プログラムであって、放送により配信される１つ以上の番組コンテンツの属性情報を取得する手順と、前記取得された番組コンテンツの属性情報を、前記チャンネル軸ごと、および前記時間軸ごとにそれぞれ並べる手順と、静止画像を示す画像コンテンツが１つ以上入力される手順と、前記入力された画像コンテンツのサムネイル画像を、それぞれ取得する手順と、前記画像コンテンツの属性に応じた前記チャンネルを、前記チャンネル軸に割り当てる手順と、前記チャンネル軸の前記チャンネルが示す位置に、前記属性の１つが共通する前記画像コンテンツのサムネイル画像を、前記時間軸の方向にそれぞれ並べる手順とを、コンピュータに実行させることを特徴とする。
【００１６】
この発明によれば、チャンネル軸と時間軸とでマトリックス表示された電子番組表の中に、放送により配信される番組情報を表示することに加えて、静止画像を示す画像コンテンツの属性に応じたチャンネルをチャンネル軸に割り当て、割り当てたチャンネルがチャンネル軸で示す位置に、静止画像を示す画像コンテンツを並べて表示するため、配信される番組の情報と、静止画像を示す画像コンテンツの情報とを１つの電子番組表で表示できる。
【００１７】
上記した課題を解決するために、本発明の電子番組表は、選択可能な複数のチャンネルを示すチャンネル軸を一方の軸とすると共に、時間の経過を示す時間軸を他方の軸としてマトリックス表示された電子番組表であって、放送により配信される番組コンテンツの属性情報が、前記チャンネル軸ごと、および前記時間軸ごとに並べて表示される第１の領域と、静止画像を示す画像コンテンツの属性の１つに応じた前記チャンネルが、前記チャンネル軸に割り当てられ、前記チャンネル軸の前記チャンネルが示す位置に、前記属性の１つが共通する前記画像コンテンツの情報が、前記時間軸の方向に並べて表示される第２の領域とを有し、前記第１の領域および前記第２の領域は、前記チャンネル軸方向に隣接して表示されることを特徴とする。
【００１８】
この発明によれば、チャンネル軸と時間軸とでマトリックス表示された電子番組表の中に、放送により配信される番組情報を表示することに加えて、静止画像を示す画像コンテンツの属性に応じたチャンネルをチャンネル軸に割り当て、割り当てたチャンネルがチャンネル軸で示す位置に、静止画像を示す画像コンテンツを並べて表示するため、配信される番組の情報と、静止画像を示す画像コンテンツの情報とを１つの電子番組表で表示できる。
【発明を実施するための最良の形態】
【００１９】
以下、本発明の実施形態について、動画像や静止画画像を表示する画像表示装置１を用いて説明する。
（実施形態）
【００２０】
図１は、本実施形態における画像表示装置１のハードウェア構成を示す図である。この画像表示装置１は、ＣＰＵ（Ｃｅｎｔｒａｌ  Ｐｒｏｃｅｓｓｉｎｇ  Ｕｎｉｔ）１０と、ＲＡＭ（Ｒａｎｄｏｍ  Ａｃｃｅｓｓ  Ｍｅｍｏｒｙ）１２と、記憶装置であるＨＤＤ（Ｈａｒｄ  Ｄｉｓｋ  Ｄｒｉｖｅ）１４と、グラフィックカード１８と、ＲＯＭ（Ｒｅａｄ  Ｏｎｌｙ  Ｍｅｍｏｒｙ）１６と、入力Ｉ／Ｆ（Ｉｎｔｅｒｆａｃｅ）２２と、通信Ｉ／Ｆ２０とを備え、これらのハードウェアは、バス２４により各信号が授受可能に接続されている。尚、これらのハードウェアは、基本ソフトウェアであるＢＩＯＳ（Ｂａｓｉｃ  Ｉｎｐｕｔ  Ｏｕｔｐｕｔ  Ｓｙｓｔｅｍ）や、オペレーティングシステム（ＯＳ）により管理され、これらの管理下で、ＲＯＭ１６やＨＤＤ１４に記憶されたドライバを含む種々のソフトウェアにより、所定の機能が実行される。
【００２１】
ＣＰＵ１０は、基本ソフトウェア、入力Ｉ／Ｆ２２や通信Ｉ／Ｆ２０に接続された各装置のデバイスドライバなどの各種プログラム、および各種のデータをＲＯＭ１６やＨＤＤ１４から読み込み、これらをＲＡＭ１２内に設けられるメインメモリ領域に展開して実行する。グラフィックカード１８は、ＣＰＵ１０の指示に従い、動画や静止画の画像をディスプレイ４０に表示する。
【００２２】
入力Ｉ／Ｆ２２には、テレビ放送受信装置３０、メモリカードドライブ３２、リモコン受信装置３６が所定の規格に従い接続されている。このテレビ放送受信装置３０は、テレビの放送電波を受信する。また、メモリカードドライブ３２は、メモリカード３４を着脱可能に接続してデータを授受する。リモコン受信装置３６は、操作リモコン３８から光や電波を介して送信される操作指示信号を受信する。また、図示は略すが、デジタルカメラやビデオカメラ等の外部機器も入力Ｉ／Ｆ２２を介して接続し、これらの画像信号や映像信号を直接に入力できるように構成しても良い。
【００２３】
通信Ｉ／Ｆ２０には、ネットワーク通信装置４２が所定の規格に従い接続されている。このネットワーク通信装置４２は、所定のプロトコルに従い通信を行うことで、インターネット４４上の種々のコンテンツや、メールを授受できる。
【００２４】
図２は、画像表示装置１の機能を説明する機能構成図である。この画像表示装置１は、放送受信部５０と、ＥＰＧ（Ｅｌｅｃｔｒｏｎｉｃ  Ｐｒｏｇｒａｍｍｉｎｇ  Ｇｕｉｄｅ）デコード部５２と、番組映像復調部５４と、記憶部６０と、画像コンテンツ入力部５６と、サムネイル画像生成部７０と、画像処理部７２と、表示コンテンツ選択部７４と、操作指示部７６と、番組表作成部８０と、表示部９０とを備える。
【００２５】
放送受信部５０は、番組コンテンツを含む放送電波を受信する。具体的には、受信する周波数を選択可能な選局手段を有し、テレビ放送受信装置３０で受信可能なテレビ放送を受信する。受信したテレビの放送電波には、番組コンテンツを示す変調された信号に加えて、現在の時刻から所定の期間に渡る時系列な番組コンテンツの属性情報（ＥＰＧ情報）を示す信号が符号化されて付加されており、放送受信部５０は、放送電波を受信した後、それぞれの信号に分離する。放送電波から番組コンテンツの属性情報を抽出する方法は、例えば、特開平１１−２６６４１３号公報に記載された方法を採用できる。このようにして、放送受信部５０で受信された放送信号の中で、一方の番組コンテンツを示す信号は番組映像復調部５４に送られる。また、他方の番組コンテンツの属性情報を示す信号はＥＰＧデコード部５２に送られる。尚、この番組コンテンツの属性情報の取得は、テレビ放送受信装置３０による受信に限定されるものでは無く、ネットワーク通信装置４２によりインターネット４４を介して所定のＷｅｂサーバ等から取得しても良い。
【００２６】
ＥＰＧデコード部５２は、放送受信部５０から送られる番組コンテンツの属性情報を示す信号を復号して、番組コンテンツの属性情報を示すデータを取得する。この番組コンテンツの属性情報を示すデータは、番組名、放送開始時刻、放送終了時刻および番組内容等を示すデータである。取得されたこれらのデータは、記憶部６０に送られる。
【００２７】
画像コンテンツ入力部５６は、時間情報を持たない静止した画像コンテンツのデータが入力される。具体的には、メモリカード３４に保存された写真の撮影データやインターネット４４からダウンロードされた静止画像のデータのような、所定のファイル形式で記述された画像コンテンツのデータが入力される。また、この画像コンテンツには、メールや文書のようなドキュメント及び画像を含むドキュメント画像や、ＷＷＷ（Ｗｏｒｌｄ  Ｗｉｄｅ  Ｗｅｂ）に準拠したハイパーテキスト及び画像を含むハイパーテキスト画像や、静止画像を主体とするものの関連する音楽や音声情報を伴った画像を含んでも良く、更に、画像コンテンツの情報として、代表する画像が縮小されたサムネイル画像や、属性情報を示すタグ情報を具備しても良い。ここで、タグ情報とは、画像のカテゴリ情報、保存された日時情報、保存されて以来の視聴有無の情報および画像に関するメモ情報等である。このようにして画像コンテンツ入力部５６に入力された画像コンテンツのデータは、記憶部６０に送られる。
【００２８】
記憶部６０は、ＥＰＧ情報記憶部６２と、環境情報記憶部６４と、画像コンテンツ記憶部６６とを備え、種々のデータを記憶する。具体的には、ＨＤＤ１４の所定の領域に書き込まれると共に、必要に応じて読み出される。
【００２９】
この中で、ＥＰＧ情報記憶部６２には、ＥＰＧデコード部５２から送られる番組コンテンツの属性情報を示すデータが記憶されると共に、番組表作成部８０から必要に応じて読み出される。また、環境情報記憶部６４には、現在の日時に関する情報や、画像表示装置１が設置された地域情報や、過去に選択されたチャンネルの履歴情報等の環境に関するデータが記憶され、番組表作成部８０から必要に応じて読み出される。更に、画像コンテンツ記憶部６６には、画像コンテンツ入力部５６から送られる画像コンテンツのデータが記憶され、番組表作成部８０、サムネイル画像生成部７０および画像処理部７２から必要に応じて読み出される。
【００３０】
サムネイル画像生成部７０は、前記したサムネイル画像を含まない画像コンテンツに対して、所定の方法によりサムネイル画像を作成する。このように、画像コンテンツのデータからサムネイル画像を作成する方法は、例えば、特開２００３−２１６６５３号公報に記載された方法を採用できる。このように作成されたサムネイル画像は、番組表作成部８０に送られる。
【００３１】
番組表作成部８０は、番組コンテンツデータ作成部８２と、番組表ＵＩ（Ｕｓｅｒ  Ｉｎｔｅｒｆａｃｅ）作成部８４と、サムネイル画像データ作成部８６とを備え、現在の時刻から所定の期間に渡る時系列な番組コンテンツの属性情報と、開示可能な画像コンテンツのサムネイル画像とを同時に示す電子番組表９４（図３）を作成する。
【００３２】
この中で、番組表ＵＩ作成部８４は、ＥＰＧ情報記憶部６２に記憶された番組コンテンツの属性情報を示すデータと、環境情報記憶部６４に記憶された環境に関するデータと、画像コンテンツ記憶部６６に記憶された画像コンテンツのデータとを参照して、電子番組表９４のフレームを作成する。また、番組コンテンツデータ作成部８２は、ＥＰＧ情報記憶部６２に記憶された番組コンテンツの属性情報を示すデータを、電子番組表９４の時間軸とチャンネル軸で定義される領域に並べる。更に、サムネイル画像データ作成部８６は、電子番組表９４に所定のチャンネルを追加して、追加したチャンネルに含まれるサムネイル画像を、電子番組表９４の時間軸方向に並べる。尚、電子番組表９４を作成する工程の詳細については、後述する。このようにして作成された電子番組表９４は表示部９０に送られ、表示部９０が有するディスプレイ４０に表示される。
【００３３】
操作指示部７６は、操作リモコン３８を介してユーザからの操作指示が入力される。また、表示コンテンツ選択部７４は、表示部９０で表示するコンテンツがユーザからの操作指示により選択される。ここで、例えば、電子番組表９４に表示された放送番組の１つがユーザにより選択された場合、放送受信部５０に対して、選択された放送番組が放送されるチャンネルを受信するべく操作指示されると共に、番組映像復調部５４に対して、番組コンテンツを示す信号の復調を指示する。また、電子番組表９４に表示されたサムネイル画像の１つがユーザにより選択された場合、画像処理部７２に対して、サムネイル画像が示す画像コンテンツの開示を指示する。
【００３４】
番組映像復調部５４は、表示コンテンツ選択部７４の指示に従い、放送受信部５０から送られる番組コンテンツを示す信号を復調して、番組の映像データを取得する。尚、番組の映像データを搬送する放送電波は、アナログ波に限定されず、符号化されたデジタル波でも良い。このように取得された映像データは、表示コンテンツ選択部７４を経由して表示部９０に送られ、ディスプレイ４０に表示される。
【００３５】
画像処理部７２は、表示コンテンツ選択部７４の指示に従い、画像コンテンツ記憶部６６に記憶された画像コンテンツの中から指示された画像コンテンツのデータを含むファイルを、そのファイルの拡張子に予め関連付けられたアプリケーションプログラムで開示する。開示された画像コンテンツのデータが示す画像は、表示コンテンツ選択部７４を経由して表示部９０に送られ、ディスプレイ４０に表示される。
【００３６】
以上、画像表示装置１の各機能部を説明したが、これらの機能は、前記したハードウェア資源と、ソフトウェアとが有機的に協働することで実現される。
【００３７】
図４は、画像表示装置１でコンテンツを表示する処理の流れを説明する図であり、電子番組表９４の構成を示す図３も参照して説明する。
【００３８】
画像表示装置１が起動されると、電子番組表９４を作成する工程（ステップＳ１００）が実行される。図５は、電子番組表９４を作成する処理の流れを説明する図であり、最初に、この図を参照して電子番組表９４を作成する工程（ステップＳ１００）を詳説する。
【００３９】
電子番組表９４を作成する処理が開始されると、最初に、現在の日時に関する情報や、画像表示装置１が設置された地域情報等の環境に関するデータが取得され、環境情報記憶部６４に記憶される（ステップＳ１５０）。
【００４０】
続いて、放送受信部５０により、番組コンテンツを含む放送電波の受信が開始される（ステップＳ１５２）。
【００４１】
更に、放送電波の中から、番組コンテンツの属性情報（ＥＰＧ情報）を示す信号が抽出される（ステップＳ１５４）。
【００４２】
続いて、放送により配信される１つ以上の番組コンテンツの情報を取得する手順が実行され、ＥＰＧデコード部５２により、番組コンテンツの属性情報を示す信号が復号された後、番組表作成部８０は、番組コンテンツの属性情報を示すデータを取得する（ステップＳ１５６）。
【００４３】
次に、番組表作成部８０は、画像コンテンツ記憶部６６に記憶されている画像コンテンツのデータを取得する（ステップＳ１５８）。
【００４４】
更に、サムネイル画像が含まれない画像コンテンツは、サムネイル画像生成部７０によりサムネイル画像が生成され、番組表作成部８０は、生成されたサムネイル画像を取得する（ステップＳ１６０）。
【００４５】
次に、番組表ＵＩ作成部８４は、環境情報記憶部６４に記憶された環境に関するデータ、番組コンテンツの属性情報を示すデータおよび画像コンテンツの情報から、電子番組表９４のフレームを作成する（ステップＳ１６２）。ここで、図３の電子番組表９４を例示して具体的に説明する。最初に、環境に関するデータの中から、現在の日時に関する情報を取得することで、時間軸に記載する日付および時刻を設定できる。この結果、電子番組表９４の時間軸の上段には、現在の日付である「１月２３日」が設定されると共に、時間軸の下段には、現在の時である「７時」から「１１時」までの各時刻が設定される。また、画像表示装置１が設置された地域情報と、番組コンテンツの属性情報を示すデータとから、チャンネル軸に記載するチャンネルを設定できる。この結果、電子番組表９４のチャンネル軸には、画像表示装置１が設置された地域で視聴可能な、「１」、「３」、「５」、「７」および「９」の各チャンネル番号が設定される。この結果、チャンネル軸のチャンネル番号と時間軸の時刻とで指示可能な放送番組表示エリアを有する電子番組表９４のフレームが作成される。更に、画像コンテンツの情報から、画像コンテンツのサムネイル画像を表示するのに十分な領域を有する画像コンテンツ表示エリアが、電子番組表９４の放送番組表示エリアの下段に追加される。
【００４６】
次に、番組コンテンツの属性情報から、放送番組のデータを作成して電子番組表９４に追加する工程（ステップＳ１６４）が実行される。ここで、図６は、当該工程の処理の流れを詳細に説明する図であり、この図６を参照して説明する。
【００４７】
図６の工程は、放送により配信される番組コンテンツの属性情報を、前記チャンネル軸ごと、および前記時間軸ごとに並べる工程であり、前記工程が実行されると、最初に、取得された番組コンテンツの属性情報の中から、１つの番組が抽出される（ステップＳ１７０）。
【００４８】
続いて、抽出された番組が放送されるチャンネル、放送開始時刻、放送終了時刻および番組名がＥＰＧ情報記憶部６２から取得される（ステップＳ１７２）。
【００４９】
続いて、電子番組表９４の時刻およびチャンネルに対応する放送番組表示エリアの所定の領域に、抽出した番組名を追加する（ステップＳ１７４）。
【００５０】
次に、取得された番組コンテンツの属性情報に含まれる番組を全て抽出したか、否かが判定される（ステップＳ１７６）。ここで、取得された放送番組の情報に含まれる番組を全て抽出していない場合（ステップＳ１７６でＮｏ）は、最初の工程（ステップＳ１７０）に戻る。また、取得された番組コンテンツの属性情報に含まれる番組が全て抽出された場合（ステップＳ１７６でＹｅｓ）、番組コンテンツの属性情報から、放送番組のデータを作成して電子番組表９４に追加する工程（ステップＳ１６４）を終了し、次の工程（ステップＳ１６６）に進む。尚、本工程（ステップＳ１６４）が実行されることにより、電子番組表９４の放送番組表示エリアには、チャンネルと放送される時刻に対応したそれぞれの番組名が表示される。
【００５１】
図５に戻り、取得したサムネイル画像を電子番組表９４に追加する工程（ステップＳ１６６）が実行される。ここで、図７は、当該工程の処理の流れを詳細に説明する図であり、この図７を参照して説明する。
【００５２】
前記工程が実行されると、最初に、サムネイル画像は、所定のグループに分類される（ステップＳ１８０）。ここで、所定のグループとは、ユーザ或いは装置自体により予め設定された分類情報で分類されたグループであり、それぞれの画像コンテンツは、タグ情報を参照して分類される。例えば、図３の電子番組表９４では、撮影画像のグループ「Ｐｈｏｔｏ１」に属するサムネイル画像と、文書画像のグループ「Ｄｏｃｕｍｅｎｔ１」に属するサムネイル画像とに分類される。
【００５３】
続いて、静止画像を示す画像コンテンツの属性の１つに応じたチャンネルを、チャンネル軸に割り当てる工程が実行され、電子番組表９４のチャンネル軸に、分類したグループに対応する１つのチャンネルが追加される（ステップＳ１８２）。具体的には、電子番組表９４の画像コンテンツ表示エリアに対応してチャンネル軸が下方に延伸され、延伸されたチャンネル軸の所定の領域に、「Ｐｈｏｔｏ１」が仮想のチャンネルとして設定される。この場合、画像コンテンツを表示させるための専用のチャンネルや情報伝達経路を予め設定しておく必要がある。なお、画像コンテンツを放送受信部で扱い可能な信号形態に変換し、放送番組が割り当てられていない空きチャンネルを利用して、画像コンテンツを表示しても良い。
【００５４】
続いて、チャンネル軸のチャンネルが示す位置に、属性の１つが共通する画像コンテンツの情報を、時間軸の方向に並べて表示する工程が実行され、追加されたチャンネルのグループに属するサムネイル画像が、電子番組表９４の追加された各チャンネルに対応する画像コンテンツ表示エリアに、時間軸方向に沿って貼り付けられる（ステップＳ１８４）。具体的には、「Ｐｈｏｔｏ１」に属するサムネイル画像が、時間軸に沿って貼り付けられる。ここで、画像コンテンツのタグ情報の中から、保存されて以来の視聴有無の情報に従い、保存されてから未視聴な画像コンテンツのサムネイル画像９８は、視聴済みの他のサムネイル画像と区別可能に表示される。例えば、視聴済みの画像コンテンツのサムネイル画像はモノクロ表示されたり、未視聴の画像コンテンツのサムネイル画像よりも彩度を落として表示される。
【００５５】
また、視聴済みの画像コンテンツのみ、または未視聴な画像コンテンツのみを表示しても良い。これらにより、未視聴或いは視聴済みの画像コンテンツを直感的に把握できるため、特に未視聴の画像コンテンツに対する視聴を促すことができる。さらには、視聴の有無に係わらず、保存後の一定期間を経過した画像コンテンツのサムネイル画像は電子番組表に表示しない仕組みとしても良い。これに依れば、未視聴の画像コンテンツが増加した場合に、電子番組表にサムネイル画像が際限なく表示されることを防止して、見易い電子番組表を実現することができる。尚、サムネイル画像が貼り付けられる順序は、画像コンテンツが保存された日時情報や画像コンテンツのファイル名等に従い、ユーザにより予め設定される。
【００５６】
次に、分類された全てのグループに対して、チャンネルが割り当てられたか、否かが判定される（ステップＳ１８６）。ここで、チャンネルが割り当てられていないグループが存在する場合（ステップＳ１８６でＮｏ）は、そのグループを対象にして、チャンネルを追加する工程（ステップＳ１８２）に戻る。また、全てのグループに対して、チャンネルが割り当てられた場合（ステップＳ１８６でＹｅｓ）、取得したサムネイル画像を電子番組表９４に追加する工程（ステップＳ１６６）を終了して、次の工程（ステップＳ１６８）に進む。尚、本工程（ステップＳ１６６）が実行されることにより、電子番組表９４の画像コンテンツ表示エリアには、チャンネル軸に表示される２つの分類情報、即ち、「Ｐｈｏｔｏ１」と「Ｄｏｃｕｍｅｎｔ１」に対応したそれぞれのサムネイル画像が表示される。
【００５７】
次に、図５に戻り、作成された電子番組表９４が表示部９０に表示され、電子番組表９４を表示する工程（ステップＳ１００）が終了する。
【００５８】
ここで図４に戻り、続いて、表示部９０に表示された電子番組表９４のコンテンツが、操作指示部７６で操作されるカーソル９６により指示される（ステップＳ１０２）。具体的には、操作リモコン３８に配置された各方向別のカーソルボタンが押下されることで、電子番組表９４に表示されるカーソル９６は、放送番組エリアに表示されたそれぞれの番組名、および画像表示エリアに表示されたそれぞれのサムネイル画像の中から、何れか１つを選択可能に移動する。ここで、カーソル９６で指示されている番組名またはサムネイル画像は、反転表示、着色表示または点滅表示のように判別可能に表示される。
【００５９】
また、カーソル９６が移動可能な領域の端部にあって、その端部よりも更に移動させるべく指示された場合は、番組名またはサムネイル画像がスクロールする機能を有している。尚、カーソル９６が移動可能な領域は、放送番組エリアまたは画像コンテンツ表示エリアの何れかに制限を設ける場合と、移動する領域に制限を設けない場合とが想定され、状況に応じユーザにより設定される。前者の場合には視聴する対象を区別することなく、放送番組と画像コンテンツとを全く同じ感覚で視聴できる利便性を提供でき、また、後者の場合には放送番組或いは画像コンテンツのどちらか一方のみを集中して視聴する場合に（カーソルの移動範囲が狭くなるため）好適である。後者の場合には番組コンテンツの属性情報或いは画像コンテンツの情報（サムネイル画像）の一方のみがスクロールされて表示されることとなり、２つのエリア間の移動には別のボタンなどによる指示操作を必要とする。
【００６０】
次に、カーソル９６で指示されたコンテンツは、番組コンテンツか、否かが判定される（ステップＳ１０４）。ここで、指示されたコンテンツが番組コンテンツであった場合（ステップＳ１０４でＹｅｓ）、選択された番組が放送されるチャンネルの情報が取得される（ステップＳ１０６）。
【００６１】
続いて、放送受信部５０に対して指示することにより、受信するチャンネルが設定される（ステップＳ１０８）。
【００６２】
続いて、設定されたチャンネルで放送電波が受信されると共に、番組映像復調部５４により放送電波から映像として復調された番組コンテンツは、表示部９０に表示される（ステップＳ１１０）。この状態は、次に指示を受けるまで継続される。
【００６３】
他方で、前記したステップＳ１０４において、指示されたコンテンツが番組コンテンツでは無く、画像コンテンツであった場合（ステップＳ１０４でＮｏ）、選択された画像コンテンツのデータが取得される（ステップＳ１１２）。
【００６４】
続いて、取得された画像コンテンツのデータは、画像処理部７２で開示され（ステップＳ１１４）、タグ情報の中の視聴有無の情報を示す開示済みフラグがセットされる（ステップＳ１１６）。
【００６５】
続いて、開示された画像コンテンツのデータが示す画像は、表示部９０に表示される（ステップＳ１１８）。この状態は、次に指示を受けるまで継続される。
【００６６】
以上の処理により、ユーザは、電子番組表９４で表示する番組コンテンツまたは画像コンテンツの中から、所望するコンテンツを選択してディスプレイ４０に表示できる。尚、コンテンツが選択されてディスプレイ４０に表示される場合は、電子番組表９４は、表示されるコンテンツの背面に移動して隠れるが、操作リモコン３８から所定の操作を行うことにより、コンテンツの前面に移動できる。
【００６７】
以上、本発明を図示した実施形態に基づいて説明したが、本発明は、本実施形態に限定されるものではなく、以下に述べるような変形例も想定できる。
（１）電子番組表９４における放送番組表示エリアと画像コンテンツ表示エリアとの表示順は、限定されない。また、これらが混在しても良く、所定のチャンネルにおける番組コンテンツの属性情報と、そのチャンネルでの放送番組に関連した画像コンテンツの情報とを、隣接して表示しても良い。これに依れば、放送番組と関連する画像コンテンツを素早く選択して視聴できるため、電子番組表の利便性が向上する。
（２）電子番組表９４中の画像コンテンツに対応したチャンネルを選択することによって、そのチャンネルに割り当てられた一つ以上の画像コンテンツを一定の時間間隔で順次自動的に切り替えて表示する表示形態を備えることが出来る。これに依れば、関連性のある複数の画像コンテンツを視聴する場合に、画像コンテンツを都度選択する必要がないため、複数の画像コンテンツを容易に視聴でき、電子番組表の利便性が向上する。
【図面の簡単な説明】
【００６８】
【図１】本実施形態における画像表示装置のハードウェア構成を示す図。
【図２】本実施形態における画像表示装置の機能を説明する機能構成図。
【図３】本実施形態における電子番組表の構成を示す図。
【図４】本実施形態における画像表示装置でコンテンツを表示する処理の流れを説明する図。
【図５】電子番組表を作成して表示する処理の流れを説明する図。
【図６】放送番組のデータを作成して電子番組表に追加する処理の流れを説明する図。
【図７】サムネイル画像を電子番組表に追加する処理の流れを説明する図。
【符号の説明】
【００６９】
１…画像表示装置、１０…ＣＰＵ、１２…ＲＡＭ、１４…ＨＤＤ、１６…ＲＯＭ、１８…グラフィックカード、２０…通信Ｉ／Ｆ、２２…入力Ｉ／Ｆ、２４…バス、３０…テレビ放送受信装置、３２…メモリカードドライブ、３４…メモリカード、３６…リモコン受信装置、３８…操作リモコン、４０…ディスプレイ、４２…ネットワーク通信装置、４４…インターネット、５０…放送受信部、５２…ＥＰＧデコード部、５４…番組映像復調部、５６…画像コンテンツ入力部、６０…記憶部、６２…ＥＰＧ情報記憶部、６４…環境情報記憶部、６６…画像コンテンツ記憶部、７０…サムネイル画像生成部、７２…画像処理部、７４…表示コンテンツ選択部、７６…操作指示部、８０…番組表作成部、８２…番組コンテンツデータ作成部、８４…番組表ＵＩ作成部、８６…サムネイル画像データ作成部、９０…表示部、９４…番組表、９６…カーソル、９８…保存されてから未視聴な画像コンテンツのサムネイル画像。
【図１】
2007174267.tif 000003
【図２】
2007174267.tif 000004
【図３】
2007174267.tif 000005
【図４】
2007174267.tif 000006
【図５】
2007174267.tif 000007
【図６】
2007174267.tif 000008
【図７】
2007174267.tif 000009